(57)【要約】【課題】簡単な操作で、適数本の芯４を芯出口２Ａから突出させた状態で位置決めでき、その中から希望する本数の芯４を取り出せる替芯ケースを提供する。【解決手段】蓋体３を回動し、蓋体３を立てることにより芯出口２Ａを開くとともに、蓋体３を横に倒すことにより芯出口２Ａを閉じる替芯ケースにおいて、替芯ケースの本体１に長手方向に伸びたガイド溝１Ｆを形成する。この本体１の上部に蓋固定部材２を取り付け、蓋固定部材２に前記本体１のガイド溝１Ｆと合致して芯出口２Ａを形成する。蓋固定部材２には蓋体３が回動可能に取り付けられ、この蓋体３には受部３Ｄが形成される。蓋体３を横に倒した状態で芯出口２Ａを下に向けた時、芯出口２Ａを通過した芯４が前記受部３Ｄに当接され位置決めされる。【選択図】図１
2010149287.tif 000002
【特許請求の範囲】
【請求項１】
蓋体を回動し、蓋体を立てることにより芯出口を開くとともに、蓋体を横に倒すことにより芯出口を閉じる替芯ケースにおいて、本体に長手方向に伸びたガイド溝を形成し、このガイド溝に適宜数の芯をガイド可能に構成し、この本体の上部に蓋固定部材を取り付け、蓋固定部材に前記本体のガイド溝と合致して芯出口を形成し、更に蓋体の回転軸を前記蓋固定部材の取付穴に回動可能に取り付け、この蓋体に受部を構成し、蓋体を倒した状態で芯出口を下側に向けた時、芯が蓋固定部材の芯出口を通過して蓋体の受部に当接され、芯が芯出口より突出した位置で位置決めされることを特徴とする替芯ケース。
【請求項２】
蓋体の受部を階段状に構成したことを特徴とする請求項１記載の替芯ケース。
【請求項３】
本体のガイド溝の底端を階段状に構成し、ガイド溝内に収納された芯が前記底端と蓋体の受部の間に位置決めされることを特徴とする請求項１又は２記載の替芯ケース。
【発明の詳細な説明】
【技術分野】
【０００１】
本発明は、シャープペンシルの芯を収納するための替芯ケースに関するものである。
【背景技術】
【０００２】
従来、蓋体を立てることにより芯出口を開くとともに、蓋体を横に倒すことにより芯出口を閉じる替芯ケースにおいて、本体に長手方向に伸びたガイド溝を形成し、このガイド溝に収納された既定数の芯を蓋体の芯出口より排出してシャープペンシルの芯タンク内に直接挿入できる替芯ケースが知られている。（特許文献１参照）
【特許文献１】特開２００８−２００９８８号公報
【発明の開示】
【発明が解決しようとする課題】
【０００３】
しかしながら、上記した替芯ケースは、既定数の芯を芯タンク内に収納する場合には便利であるが、１本とか２本を芯タンクに補充するような希望する本数の芯を芯タンクに補充する場合には不向きであった。
【０００４】
本発明は、上記課題を解消し、希望する本数の芯を任意に芯タンクに補充できる替芯ケースを提供することを目的とするものである。
【課題を解決するための手段】
【０００５】
本発明は、蓋体を回動し、蓋体を立てることにより芯出口を開くとともに、蓋体を横に倒すことにより芯出口を閉じる替芯ケースにおいて、本体に長手方向に伸びたガイド溝を形成し、このガイド溝に適宜数の芯をガイド可能に構成し、この本体の上部に蓋固定部材を取り付け、蓋固定部材に前記本体のガイド溝と合致して芯出口を形成し、更に蓋体の回転軸を前記蓋固定部材の取付穴に回動可能に取り付け、この蓋体に受部を構成し、蓋体を倒した状態で芯出口を下側に向けた時、芯が蓋固定部材の芯出口を通過して蓋体の受部に当接され、芯が芯出口より突出した位置で位置決めされることを第１の要旨とする。
【０００６】
また、蓋体の受部を階段状に構成したことを第２の要旨とする。
【０００７】
更に、本体のガイド溝の底端を階段状に構成し、ガイド溝内に収納された芯が前記底端と蓋体の受部の間に位置決めされることを第３の要旨とする。
【発明の効果】
【０００８】
本発明の替芯ケースは、簡単な操作で適数本の芯を突出させた状態で位置決めでき、任意の本数の芯を取り出してシャープペンシルの芯タンクに補充できる効果が奏せられるものである。
【発明を実施するための最良の形態】
【０００９】
蓋体を立てた時、適数本の芯が芯出口より適宜突出して位置決めされ、任意の本数を手で取り出すことができる替芯ケースを実現した。
【実施例１】
【００１０】
以下、図１、図２、図３、図４、図５、図６、図７、図８、図９、図１０、図１１及び図１２に基づいて本発明における実施例１の替芯ケースを説明する。尚、図１を基準にして左右及び上下と説明する。本体１を透明又は着色透明からなる合成樹脂で構成し、その本体１は上端が開口した箱型に形成する。この本体１は、上部の側壁内面が凹陥されて取付部１Ａが形成される。更に、本体１の取付部１Ａより上方の側壁は切り欠かれて表壁１Ｂと裏壁１Ｃの上部が適宜弾性変形可能に構成される。また、表壁１Ｂの上部左側は切り欠かれて切欠部１Ｄが形成される。更に本体１左側には、裏壁１Ｃ内面より隆起した隆起部１Ｅが形成され、この隆起部１Ｅにわずかに凹んだガイド溝１Ｆが形成される。このガイド溝１Ｆの底端１Ｇを階段状に構成する。更に本体１の表壁１Ｂ表面は印刷あるいは転写により表示される。また、本体１の裏壁１Ｃ上部には両側に平坦部を有する小判型の開口穴１Ｈが形成されている。
【００１１】
また、蓋固定部材２の左側を切り欠いて芯出口２Ａを形成する。この蓋固定部材２には、上方に突出した上部２Ｂが形成され、この上部２Ｂに取付穴２Ｃが形成される。この取付穴２Ｃは、下半分が半円状で、上半分が右縁が垂直で左縁が傾斜されかつ上縁が平坦となる台形状に形成される。更に、取付穴２Ｃのほぼ中心を横切る直線状の切溝２Ｄが上部２Ｂの右側より形成されて、取付穴２Ｃは適宜拡開可能に構成されている。更に蓋固定部材２の上部２Ｂには、図３に示したように両側に平坦部を有する小判型の突起２Ｅが構成されている。
【００１２】
更に蓋体３は、表壁３Ａの左側が隆起した隆起部３Ｂが形成され、この隆起部３Ｂは前記本体１の切欠部１Ｄと同形に構成される。この蓋体３の右側に表壁３Ａ内面から裏方向に突出する断面非円形の回転軸３Ｃが形成されている。この回転軸３Ｃの断面は、右下方半分が半円形で左上方半分が略山形に形成されている。更に、蓋体３の上面内側より下方に突出した受部３Ｄが形成され、この受部３Ｄの下面は前記ガイド溝１Ｆの底端と同形の階段状に構成される。また、右端は半円形に形成され、その縁には上面より延長された土手部３Ｅが形成されている。
【００１３】
以上説明した蓋体３の回転軸３Ｃが蓋固定部材２の取付穴２Ｃに嵌め込まれ、蓋体３の回転軸３Ｃの略山形の頂部が蓋固定部材２の取付穴２Ｃに形成された平坦な上縁により押圧されて左側に傾き、蓋固定部材２の芯出口２Ａが蓋体３によって閉じられている。また、蓋体３の土手部３Ｅによって蓋固定部材２の取付穴２Ｃを横切る切溝２Ｄを覆って構成される。この状態で蓋固定部材２を前記本体１の上方より挿入し、蓋固定部材２の下部を本体１の取付部１Ａに嵌合するとともに、蓋固定部材２の突起２Ｅを本体１の開口穴１Ｈに嵌合させる。尚、蓋固定部材２の突起２Ｅを本体１の開口穴１Ｈに嵌合する時、本体１の表壁１Ｂと裏壁１Ｃに形成される上片が弾性変形する為に蓋固定部材２は容易に本体１内に挿入される。本体１に取り付けられた蓋固定部材２の芯出口２Ａは、本体１のガイド溝１Ｆに合わされる。また、本体１の隆起部１Ｅの右側には芯収納室１Ｉが構成され、この芯収納室１Ｉ内に多数の芯４が収納され、替芯ケースが構成される。
【００１４】
この替芯ケースにおいて芯４を取り出す為には、先ず蓋体３を横に倒した状態で替芯ケースの左側を下に傾けて芯収納室１Ｉ内の芯４を隆起部１Ｅに乗り上げさせる。次に替芯ケースの上部を適宜下方に傾けると芯出口２Ａを通過した３本の芯４が蓋体３の階段状の受部３Ｄに当接され、３本の芯４がガイド溝１Ｆ内に収納される。この状態で替芯ケースの右側をわずかに下に向けると、隆起部１Ｅに乗り上げた芯４の内、ガイド溝１Ｆ内に収納された３本以外の芯４は芯収納室１Ｉ内に戻される。また、ガイド溝１Ｆ内に収納された３本の芯４は、上端が蓋体３の受部３Ｄに係止されるとともに下端がガイド溝１Ｆの底端１Ｇに係止される。
【００１５】
次に、替芯ケースを略水平に位置させて、蓋体３の左側を指で操作して蓋体３を持ち上げ、蓋体３の回転軸３Ｃを回転させる。すると、蓋体３の回転軸３Ｃに形成した略山形の頂部が蓋固定部材２の取付穴２Ｃに形成された平坦な上縁を押し上げて取付穴２Ｃを拡開する。そして、回転軸３Ｃの頂部が右側に傾くと、取付穴２Ｃが閉じようとする為に蓋体３は自動的に立ち上がり、蓋体３の土手部３Ｅが蓋固定部材２のストッパー部２Ｆに当接して、蓋体３が立ち上がった状態で停止し、図１１及び図１２に示した状態となる。この状態で、蓋固定部材２の芯出口２Ａより突出した芯４を指で保持してシャープペンシルの芯タンクに補充する。この時、指で保持する芯４は３本に限らず１本だけ保持して芯タンクに補充することもできる。また、芯出口２Ａより突出した芯４は階段状に突出しているので、任意の本数を選択するのに非常に保持し易い状態となっている。更に、突出した芯４がガイド溝１Ｆの底端で受け止められているので、指で保持する時に芯４が芯出口２Ａ内に戻ってしまう恐れはない。
【００１６】
再び芯出口２Ａを閉じる場合には、立ち上がった蓋体３を横に倒すと、回転軸３Ｃの頂部が上縁を押し上げて取付穴２Ｃを拡開し、頂部が左側に傾くと、取付穴２Ｃが閉じようとする為に蓋体３は自動的に倒れ、蓋体３により蓋固定部材２の芯出口２Ａが閉じられて図１の状態に復帰する。
【００１７】
以上説明した実施例１の替芯ケースにおいては、蓋体３の回転軸３Ｃの頂部と蓋固定部材２の取付穴２Ｃにより蓋体３の開閉時に節度が得られ、操作する指に蓋体３が立ち上がった状態と横に倒れた状態の感触が容易に確認でき、非常に操作し易いものである。
【００１８】
尚、芯出口２Ａを通過する芯４は、３本に限らず例えば５本に規定するとか任意に設定することができる。
【産業上の利用可能性】
【００１９】
蓋体を立てることにより、芯出口から突出した芯の内、希望した本数の芯を取り出してシャープペンシルの芯タンクに挿入する替芯ケースに適用できる。
【図面の簡単な説明】
【００２０】
【図１】本発明の替芯ケースを示す断面図である。（実施例１）
【図２】本発明の替芯ケースを示す正面図である。（実施例１）
【図３】本発明の替芯ケースを示す背面図である。（実施例１）
【図４】図１のＡ−Ａ線を示す断面図である。（実施例１）
【図５】図１のＢ−Ｂ線を示す断面図である。（実施例１）
【図６】図１のＣ−Ｃ線を示す断面図である。（実施例１）
【図７】本発明の替芯ケースにおける蓋を示す正面図である。（実施例１）
【図８】本発明の替芯ケースにおける蓋を示す背面図である。（実施例１）
【図９】本発明の替芯ケースにおける蓋を示す底面図である。（実施例１）
【図１０】本発明の替芯ケースにおける本体を示す断面図である。（実施例１）
【図１１】本発明の替芯ケースにおける蓋体を立てた状態を示す正面図である。（実施例１）
【図１２】本発明の替芯ケースにおける蓋体を立てた状態を示す断面図である。（実施例１）
【符号の説明】
【００２１】
１  本体
１Ｆ  本体１のガイド溝
１Ｇ  本体１の底端
２  蓋固定部材
２Ａ  蓋固定部材２の芯出口
２Ｃ  蓋固定部材２の取付穴
３  蓋体
３Ｃ  蓋体３の回転軸
３Ｄ  蓋体３の受部
４  芯
【図１】
2010149287.tif 000003
【図２】
2010149287.tif 000004
【図３】
2010149287.tif 000005
【図４】
2010149287.tif 000006
【図５】
2010149287.tif 000007
【図６】
2010149287.tif 000008
【図７】
2010149287.tif 000009
【図８】
2010149287.tif 000010
【図９】
2010149287.tif 000011
【図１０】
2010149287.tif 000012
【図１１】
2010149287.tif 000013
【図１２】
2010149287.tif 000014